(57)【要約】【課題】カッター刃の交換等を行う際に、スライダからカッター刃が不用意に脱落してしまうことのないカッターナイフを提供すること。【解決手段】前後方向に延びるケース１２と、このケース内に収容されたカッター刃１４と、このカッター刃１４を前後方向移動可能に保持するスライダ１５とを備えてカッターナイフ１０が構成されている。スライダ１５は、カッター刃１４の穴１４Ａ内に位置可能な突部４１を仮保持部として備えたスライダ本体４２と、このスライダ本体４２に揺動可能に連結された押さえ部材４３とを含み、これらスライダ本体４２と押さえ部材４３との間にカッター刃１４の後部を挟み込むようになっている。【選択図】図６
2008229077.tif 000002
【特許請求の範囲】
【請求項１】
前後方向に延びる内側空間を有するケースと、このケース内に収容されるとともに、当該ケースの前端から出没可能に設けられたカッター刃と、このカッター刃を保持して前記ケース内で前後方向に移動可能に設けられたスライダとを含むカッターナイフにおいて、
前記スライダは、所定操作することでカッター刃の取り外しを許容することを特徴とするカッターナイフ。
【請求項２】
前記スライダは、前記カッター刃の仮保持部を備えたスライダ本体と、当該スライダ本体との間にカッター刃を挟み込むように設けられた押さえ部材とにより構成されていることを特徴とする請求項１記載のカッターナイフ。
【請求項３】
前記押さえ部材はスライダ本体に揺動可能に連結されるとともに、一端側を操作することにより他端側が離間接近可能に設けられ、当該他端側を離間するように操作することで前記カッター刃の取り外しを許容することを特徴とする請求項２記載のカッターナイフ。
【請求項４】
前記仮保持部は前記カッター刃の後部に形成された穴内に収まる突部により構成されていることを特徴とする請求項２又は３記載のカッターナイフ。
【請求項５】
前記スライダには、前記カッター刃を仮保持した状態で当該カッター刃の回転を規制する回転規制部が設けられていることを特徴とする請求項４記載のカッターナイフ。
【発明の詳細な説明】
【技術分野】
【０００１】
本発明はカッターナイフに係り、更に詳しくは、カッター刃の交換を行う際に、当該カッター刃が不用意に脱落することのない構造を備えたカッターナイフに関する。
【背景技術】
【０００２】
公知のカッターナイフは、前後方向に延びる略Ｃ字状のケースと、このケース内で前後方向移動可能に設けられたスライダと、当該スライダに後端側が保持されるカッター刃とを備えて構成されている。スライダとケースとの間にはロック機構が介装されており、このロック機構により、カッター刃がケースの先端から段階的に突出できる一方、カッター刃を一定の位置に保つことが可能となっている。
【０００３】
このタイプのカッターナイフは、例えば、特許文献１に記載されているように、前記スライダに突部が形成されている一方、カッター刃の後端部面内に穴が形成されており、前記突部を穴内に位置させることで、スライダとカッター刃との連結が行えるようになっている。
【特許文献１】特公平７−８５７５２号公報
【発明の開示】
【発明が解決しようとする課題】
【０００４】
しかしながら、特許文献１に開示されたカッターナイフにあっては、カッター刃がスライダに引っ掛けただけの構成となり、ケースからカッター刃をスライダと共に取り出してカッター刃の交換等を行う際に、当該カッター刃がスライダから不用意に脱落してしまう、という不都合がある。
【０００５】
［発明の目的］
本発明は、このような不都合に着目して案出されたものであり、その目的は、カッター刃の交換等を行う際に、スライダからカッター刃が不用意に脱落してしまうことのないカッターナイフを提供することにある。
【課題を解決するための手段】
【０００６】
前記目的を達成するため、本発明は、前後方向に延びる内側空間を有するケースと、このケース内に収容されるとともに、当該ケースの前端から出没可能に設けられたカッター刃と、このカッター刃を保持して前記ケース内で前後方向に移動可能に設けられたスライダとを含むカッターナイフにおいて、
前記スライダは、所定操作することでカッター刃の取り外しを許容するように構成されている。
【０００７】
本発明において、前記スライダは、前記カッター刃の仮保持部を備えたスライダ本体と、当該スライダ本体との間にカッター刃を挟み込むように設けられた押さえ部材とにより構成することができる。
【０００８】
また、前記押さえ部材はスライダ本体に揺動可能に連結されるとともに、一端側を操作することにより他端側が離間接近可能に設けられ、当該他端側を離間するように操作することで前記カッター刃の取り外しを許容するように設けられている。
【０００９】
更に、前記仮保持部は前記カッター刃の後部に形成された穴内に収まる突部により構成することができる。
【００１０】
また、前記スライダには、前記カッター刃を仮保持した状態で当該カッター刃の回転を規制する回転規制部を設けることが好ましい。
【発明の効果】
【００１１】
本発明によれば、カッター刃の取り外しを行う際に、スライダの所定操作を必要とする構成としたから、スライダ及びカッター刃をケースから取り出した際でも、カッター刃が不用意に脱落してしまうような不都合は生じない。
【００１２】
また、スライダを構成するスライダ本体と押さえ部材との間にカッター刃を挟み込むことでカッター刃の脱落を防止するため、構成が複雑化することもない。
【００１３】
特に、押さえ部材をスライダ本体に揺動可能に連結することで、カッター刃の挟み込みと解除を行えるので、カッター刃の交換作業も容易に行うことができる。
【００１４】
更に、スライダ本体にカッター刃の後部穴に収まる突部を設けて仮保持部を設けた構成により、カッター刃の取り付け位置を常に一定の位置に保つことが可能となる。
【００１５】
また、カッター刃の回転規制部を設けた構成により、前述した挟み込みを解除した際に、カッター刃が前記突部を回転中央として回転してしまう不用意な動きも規制でき、安全性を高めることができる。
【発明を実施するための最良の形態】
【００１６】
以下、本発明の実施形態を、図面を参照しながら詳細に説明する。なお、本明細書において、「前」とは、カッター刃の先端が位置する側について用いられる一方、「後」とは、その反対側について用いられる。
【００１７】
図１には、本実施形態に係るカッターナイフの概略斜視図が示され、図２には、その分解斜視図が示されている。これらの図において、カッターナイフ１０は、前後方向に延びる内側空間Ｓを有するケース１２と、このケース１２内に収容されたガイド部材１３と、当該ガイド部材１３に沿って前後方向に移動可能に設けられてケース１２の前端から出没可能となるカッター刃１４と、このカッター刃１４を保持するとともに当該カッター刃１４と共にガイド部材１３に沿って移動可能に設けられたスライダ１５と、当該スライダ１５とケース１２との間に設けられるとともに前記スライダ１５の前後移動を規制するロック機構１７とを備えて構成されている。
【００１８】
前記ケース１２は前後方向に延びて手の平に握ることのできる細長い形状とされている。このケース１２は、前後方向に延びる底壁２０と、当該底壁２０の短寸幅方向に連なる一対の側壁面２１と、これら側壁面２１の上部間に連なる頂壁２２とを含む。ケース１２の前端及び後端は開放形状とされ、前端にはキャップ２３が、後端には尾栓２５が着脱自在に取り付けられる。頂壁２２には、図３に示されるように、前記一方の側壁面２１側に幾分シフトした位置に、前記内側空間Ｓに連なるスリット２７が後端から前端部手前位置まで形成されている。また、キャップ２３の前端面には、前記ガイド部材１３の先端部領域を突出させるための縦穴２８が形成されている。前記側壁面２１及びキャップ２３の側面間に跨る領域には、前後方向に延びる窓穴２９が形成されており、当該窓穴２９を通じて内部に位置するカッター刃１４の残存長さを視認できるようになっている。本実施形態におけるケース１２は、適宜な樹脂材料を用いて一体成形されているが、厚み方向（前記側壁面２１の面に直交する方向）の中間位置を合わせ面とする二分割型として成形したり、キャップ２３をケース１２と一体的に形成することもできる。
【００１９】
図４に示されるように、前記底壁２０の後端部は一段低い後部底壁２０Ａとされており、当該後部底壁２０Ａの領域内における前記側壁面２１の相対面には、前後方向に延びる溝部３０が形成され、当該溝部３０に前記尾栓２５に形成された突部３１が嵌合可能となっている。尾栓２５は、後端が湾曲した閉塞面となっており、上端面は、前記頂壁２２に形成されたスリット２７に連なるスリット３２が形成されている。
【００２０】
前記カッター刃１４は、先端及び後端が刃縁の延出方向に対して傾斜して平面視略平行四辺形の板状をなし、後部に穴１４Ａを備えた公知のカッター刃と同一の構造のものが用いられている。
【００２１】
前記ガイド部材１３は、図５に示されるように、前記ケース１２の底壁２０及び側壁面２１に略平行に相対するベース面３４、及び、当該ベース面３４の短寸幅方向両側に連なって略鉛直上方に向けられるとともに、前記カッター刃１４と略平行な面を形成する一対の側壁面３５とを含む。側壁面３５の前端側は、相互離間幅が次第に狭くなる傾斜面部３５Ａと、当該傾斜面部３５Ａの前端に連なってカッター刃１４の通過を鉛直面内で略直線上に案内する隙間に設定された平行面部３５Ｂとされ、当該平行面部３５Ｂが前記ケース１２の前壁２３に形成された縦穴２８を貫通して前方に突出するようになっている。
【００２２】
前記側壁面３５の上端部には、前後方向に沿って略ピッチで配置された被係止部としての切欠部３７が形成され、更に前方位置における一方の側壁面３５には、後方上向きに突出する舌片部３８が連設されている。この舌片部３８は、ガイド部材１３をケース１２内の後端から挿入した際の挿入限を決定するようになっている。なお、側壁面３５の前部領域には、前後方向に延びて前記ケース１２の窓穴２９にオーバーラップする内側窓穴３９が形成されている。
【００２３】
前記スライダ１５は、所定操作することで前記カッター刃１４の取り外しを許容するように構成されている。このスライダ１５は、図６及び図７に示されるように、カッター刃１４の後部に形成された穴１４Ａ内に収まる仮保持部として突部４１を備えたスライダ本体４２と、当該スライダ本体４２と相互に作用してカッター刃１４の後端部を挟み込むように設けられた押さえ部材４３と、前記スライダ本体４２に連結された操作部材４４とを含む。
【００２４】
前記スライダ本体４２は、カッター刃１４の面と略平行に位置して前後方向に延びる平面視略板状をなす外形に設けられている。このスライダ本体４２は、図８ないし図１１にも示されるように、カッター刃１４の後端部における一方の面に沿って位置するとともに前記突部４１が一体に設けられた保持面部４６と、この保持面部４６の後部に連なって前記押さえ部材４３及び操作部材４４の取り付け領域を形成する取付部４７とからなる。保持面部４６には、後端に傾斜隆起部４６Ａが形成されている一方、上端には水平隆起部４６Ｂが形成されている。傾斜隆起部４６Ａはカッター刃１４の後端縁形状に対応して当該カッター刃１４の後端位置を規制する一方、水平隆起部４６Ｂは、カッター刃１４の後端上縁に係り合って当該カッター刃１４を仮保持したときの回転規制部として作用するようになっている。
【００２５】
前記取付部４７は、保持面部４６の上端位置よりも低い位置に設定された上面部４９と、保持面部４６の下端に連なる下面部５０と、これら上面部４９及び下面部５０の幅方向一端側に連なる正面部５１とを含む。上面部４９には、前後方向二箇所にスロット穴５２を備えているとともに、これらスロット穴５２が中間に位置するように前後二箇所にそれぞれ配置された各一対のばね装着突片５３が設けられている。また、正面部５１には、図８中左寄り中央部に角穴５４が形成されており、当該角穴５４の上部及び下部には、図９に示されるように、支持用突部５５と、当該支持用突部５５に連設されて上下方向に軸線を持つ上下一対の軸５７が形成されている。更に、正面部５１の中央部５１にリブ５９が形成されているとともに、当該リブ５９の図８中右側には、前後方向に長い切欠穴６１と、当該切欠穴６１内に位置して左端側を自由端として弾性変位可能な片ばね部６２が形成されている。
【００２６】
前記押さえ部材４３は、図７及び図１２ないし１５に示されるように、概して平坦な板状部材により構成されている。すなわち、前記取付部４７の正面に収まる平面サイズとなる本体面６３と、この本体面６３の図１２中左側に連なって上端位置が本体面６３の上端位置よりも高い寸法設定とされた押さえ面６４とからなる。本体面６３において、前記スライダ本体４２に相対する面内には、中央部から突出する略円弧軌跡に沿う半円状のリング部６５が形成されており、当該リング部６５の内側が軸受空間６６として形成されている。本体面６３の図１４中右側には、前記片ばね部６２に当接する隆起突起６７が形成されている。また、押さえ面６４の図１２中左端は、前記保持面部４６の突部４１との位置的干渉を避ける円弧切欠６９が形成されているとともに、その上下両側には、略水平方向に延びる押さえ隆起部７０が形成されている。
【００２７】
前記操作部材４４は、図７及び図１６ないし図１９に示されるように、前記ケース１２の上端部すなわち頂壁２２上に位置して前後方向に向けられた操作用平面７２と、この操作用平面７２の上面に連設されて当該操作用平面７２に沿って延びる連結片７３と、当該連結片７３を介して略片持ち姿勢で連設された指当て部７４と、前記操作用平面７２の短寸幅方向略中央から下方に連設された垂下面部７６と、この垂下面部７６の下端部における前後二箇所位置に位置して前記スロット穴５２内に脱落不能に挿入される挿入片部７７とを含む。ここで、挿入片部７７の前後方向長さは、スロット穴５２の長さよりも小さい長さとされており、これにより、操作部材４４がスライダ本体４２に対して前後方向に沿って相対移動可能に組み合わせ可能となっている。垂下面部７６において、図１７中左端近傍位置には、後述する係止部材としての板ばね８３の自由端側を厚み方向内側に退避させる退避穴８０が形成され、当該退避穴８０の左側となる垂下面部分は、板ばね８３の自由端側をスライダ本体４２に対して初期位置に保つ位置保持面７６Ａとされている。また、垂下面部７６の後方には、操作部材４４をスライダ本体４２に対して前後方向に相対移動させる操作力を解除したときに、両者を初期の相対位置に復帰させるように板ばね８３を変位させる突状部８１が形成されている。
【００２８】
前記ロック機構１８は前記ケース１２とスライダ１５との間に設けられている。これを更に詳述すると、ロック機構１８は、スライダ本体４２の前後二箇所に位置するばね装着突片５３の外周面側に装着される係止部材としての板ばね８３と、前記ガイド部材１３の側壁面３５に形成された被係止部としての切欠部３７とにより構成されている。板ばね８３は、図７及び図２０に示されるように、前後二箇所のばね装着突片５３間に位置する連結面部８５と、この連結面部８５に連結されて相対するとともに、前記ばね装着突片５３の各外面側に位置する短寸ばね片８７及び長寸ばね片８８とにより構成されている。これらばね片８７，８８は、それらの面が略鉛直面内に位置し、各前端側には、上方から見たときに、外側に略Ｌ字状に屈曲して突出する屈曲部８９がそれぞれ形成されているとともに、これら屈曲部８９の各前端には先端の離間幅が大きくなるように向けられた折り曲げ部９０が形成されている。また、長寸ばね片８８は、後部に延長片部９１を備えた長さに設けられ、当該延長片部９１の後端側は、上方から見て内側に略Ｌ字状に屈曲された後部屈曲部９３が形成されている。
【００２９】
次に本実施形態におけるカッターナイフ１０の組み立て方法と使用方法について説明する。
【００３０】
最初に、ガイド部材１３をケース１２の後部から挿入して内側空間Ｓ内に嵌合して固定しておく。この一方、スライダ１５は、スライダ本体４２に押さえ部材４３、板ばね８３及び操作部材４４を順次組み合わせる。この組み合わせは、先ず、スライダ本体４２に押さえ部材４３を相対させた状態（図２参照）で、同図中矢印方向に押圧し、スライダ本体４２側の軸５７を押さえ部材４３のリング部６５によって形成される軸受空間６６（図１５参照）内に強制的に嵌合させる。これにより、押さえ部材４３は、後端側を押圧することにより、前端側が保持面部４６に対して離間接近する方向に揺動可能となる。すなわち、押さえ部材４３の押さえ隆起部７０と、保持面部４６との間にカッター刃１４の後端部を挟み込むことが可能となる。
【００３１】
次いで、スライダ本体４２におけるばね装着突片５３の外面側に短寸ばね片８７及び長寸ばね片８８が位置するように板ばね８３をセットした後、操作部材４４をスライダ本体４２に連結する。この連結は、スライダ本体４２のスロット穴５２に、操作部材４４の挿入片部７７を強制的に差し込むことによって行うことができる。この連結が完了した状態では、板ばね８３は、短寸ばね片８７及び長寸ばね片８８の各折り曲げ部９０が位置保持面７６Ａに略対応する位置となる（図２１（Ａ）参照）。この一方、延長片部９１側の後部屈曲部９３は、突状部８１に変形を伴わない状態で係り合う状態となる。従って、各ばね片８７，８８の前端側は、相互に接近する方向に変位不能な状態となり、この状態における操作部材４４とスライダ本体４２との相対位置が初期相対位置とされる。
【００３２】
スライダ１５を組み立てた状態で、当該スライダ１５にカッター刃１４が保持される。この保持は、図２２（Ａ）に示されるように、押さえ部材４３の後端側を押圧して当該押さえ部材４３の前端側を保持面部４６から離間させる。そして、同図（Ｂ）に示されるように、カッター刃１４の後端側を保持面部４６と押さえ部材４３との間に差し込むとともに、穴１４Ａ内に突部４１を挿入して仮保持を行った後、押さえ部材４３に対する押圧を解除すればよい。この押圧を解除すると、押さえ部材４３の後部は、片ばね部６２が初期の平面形状に復帰する弾性復元力で前端側（自由端側）が保持面部４６側に接近することとなる。これにより、図２２（Ｃ）に示されるように、カッター刃１４の後部は保持面部４６と押さえ部材４３との間に挟み込まれた状態となり、押さえ部材４３を押圧操作しない限り、カッター刃１４がスライダ１５から脱落してしまうような不都合は生じない。カッター刃１４を仮保持する際は、当該カッター刃１４の後部上縁が保持面部４６の水平隆起部４６Ｂに引っ掛かるようにして行われるため、カッター刃１４が前記突部４１を回転中心として回転してしまうようなこともない。
【００３３】
スライダ１５にカッター刃１４を保持させた状態のユニットは、カッター刃１４の先端側を差し込み方向先端側として、前記ケース１２内に挿入される。この際、操作部材４４を片持ち姿勢で支持する連結片７３は、ケース本体１２のスリット２７内に位置し、頂壁２１上に指当て部７４が位置することとなる。そして、ケース１２の後端部に尾栓２５を差し込んで嵌合させ、これにより、カッターナイフ１０の組み立てを完了することができる。
【００３４】
カッター刃１４をケース１２の前端から突出させる場合には、前記指当て部７４に指先を当てがい、前方に向かって操作力を付与すればよい。これにより、挿入片部７７の前端がスロット穴５２の前端に突き当たる位置まで操作部材４４がスライダ本体４２に対して相対移動し、操作部材４４の垂下面部７６が前方に移動する結果、板ばね８３の短寸ばね片８７及び長寸ばね片８８における折り曲げ部９０の基部が穴８０内に落ち込み（図２１（Ｂ）参照）、屈曲部８９が側壁面２１の内側に退避して切欠部３７との係り合い（ロック）を解除してスライダ１５の移動が許容され、当該スライダ１５に保持されたカッター刃１４を前方に突出させることができる。
【００３５】
この一方、カッター刃１４をケース１２内に収容する場合には、前記指当て部７４を後方に向かって操作すればよい。これにより、折り曲げ部９０は、図２１（Ｃ）に示されるように、垂下面部７６の前端よりも前方に位置することとなり、屈曲部８９が内方に退避してロックを解除しつつ後方移動が許容される。そして、任意の位置で指当て部７４への操作力を解除することで、操作部材４４がスライダ本体４２に対して初期位置に復帰しつつ屈曲部８９が切欠部３７に係り合ってロック状態に保つこととなる。なお、操作部材４４を初期位置に復帰させる力は、操作部材４４を前後に移動させる力によって後部屈曲部９３が突状部８１に対して係り合う状態を変位するため、これが初期形状に復帰しようとする力によって付与されることとなる。
【００３６】
従って、このような実施形態によれば、スライダ本体４２に設けられた突部４１をカッター刃１４の穴１４Ａに挿入して当該カッター刃１４を仮保持するとともに、押さえ部材４３とスライダ本体４２との間にカッター刃１４の後部を挟み込む状態で保持する構成としたから、スライダ１５及びカッター刃１４をケース１２の後端から抜き出して当該カッター刃１４を交換する際に、カッター刃１４がスライダ１５から不用意に脱落してしまうような不都合を回避することが可能なカッターナイフ１０を提供することができる。
【００３７】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００３８】
例えば、前記実施形態では、いわゆるユニバーサルタイプのカッターナイフを図示、説明したが、本発明はこれに限定されるものではなく、略Ｃ字状のケースの側面側にスライダを配置した従来タイプのカッターナイフに適用することを妨げない。
要するに、本発明はカッター刃を保持するスライダをケースから抜き出したときに、カッター刃が不用意に脱落してしまうことがない限り、種々の設計変更を行うことができる。
【図面の簡単な説明】
【００３９】
【図１】本実施形態に係るカッターナイフの概略斜視図。
【図２】前記カッターナイフの分解斜視図。
【図３】ケースにガイド部材を収容した状態を示す平面図。
【図４】（Ａ）は図３の縦断面図。（Ｂ）は図４（Ａ）のＡ−Ａ線に沿う拡大断面図。
【図５】（Ａ）はガイド部材の平面図、（Ｂ）はガイド部材の正面図。
【図６】スライダにカッター刃を保持させた状態を示す概略斜視図。
【図７】図６の拡大分解斜視図。
【図８】スライダ本体の正面図。
【図９】図８のＢ−Ｂ線に沿う拡大断面図。
【図１０】図８のＣ−Ｃ線に沿う断面図。
【図１１】スライダ本体の平面図。
【図１２】押さえ部材の正面図。
【図１３】押さえ部材の背面図。
【図１４】押さえ部材の平面図。
【図１５】図１２のＤ−Ｄ線に沿う拡大断面図。
【図１６】操作部材の平面図。
【図１７】操作部材の正面図。
【図１８】図１６の左側面図。
【図１９】操作部材の横断面図
【図２０】（Ａ）は板ばねの平面図、（Ｂ）は同正面図。
【図２１】（Ａ）〜（Ｃ）はロック及びロック解除の作用説明図。
【図２２】（Ａ）〜（Ｃ）はスライダにカッター刃を装着する作用説明図。
【符号の説明】
【００４０】
１０  カッターナイフ
１２ケース
１４  カッター刃
１４Ａ  穴
１５  スライダ
４１  突部（仮保持部）
４２  スライダ本体
４３  押さえ部材）
４６Ｂ  水平隆起部
Ｓ  内側空間
【図１】
2008229077.tif 000003
【図２】
2008229077.tif 000004
【図３】
2008229077.tif 000005
【図４】
2008229077.tif 000006
【図５】
2008229077.tif 000007
【図６】
2008229077.tif 000008
【図７】
2008229077.tif 000009
【図８】
2008229077.tif 000010
【図９】
2008229077.tif 000011
【図１０】
2008229077.tif 000012
【図１１】
2008229077.tif 000013
【図１２】
2008229077.tif 000014
【図１３】
2008229077.tif 000015
【図１４】
2008229077.tif 000016
【図１５】
2008229077.tif 000017
【図１６】
2008229077.tif 000018
【図１７】
2008229077.tif 000019
【図１８】
2008229077.tif 000020
【図１９】
2008229077.tif 000021
【図２０】
2008229077.tif 000022
【図２１】
2008229077.tif 000023
【図２２】
2008229077.tif 000024